(57)【特許請求の範囲】
【請求項１】
設定データを記憶する主サーバと、
前記設定データの一部または全部を更新するための更新データが入力される端末装置と、
前記端末装置と通信し、前記端末装置に入力された前記更新データを受信して記憶する遠隔設定装置と、
前記主サーバおよび前記遠隔設定装置と通信する通信サーバと、
を備え、
前記遠隔設定装置は、前記通信サーバに前記端末装置から受信した前記更新データを送信し、
前記通信サーバは、前記遠隔設定装置から受信した前記更新データで、前記主サーバに記憶されている設定データを更新し、
前記主サーバは、音声通信を行う通信端末に対して前記設定データを書き込む、
データ更新システム。
【請求項２】
前記遠隔設定装置は、前記主サーバと同内容の設定ファイルを記憶し、前記端末装置からの指示によって該設定ファイルを更新し、前記通信サーバに対して設定データを更新した旨のメッセージを送信し、
前記通信サーバは、前記メッセージに対応して、前記遠隔設定装置から前記更新データとして前記更新された設定ファイルを取得し、この設定ファイルで前記主サーバの設定データを更新する
請求項１に記載のデータ更新システム。
【請求項３】
前記主サーバが複数設置され、
前記通信サーバは、各主サーバに記憶されている設定データをそれぞれ更新する
請求項１または請求項２に記載のデータ更新システム。
【請求項４】
前記遠隔設定装置は、
前記通信サーバとの通信パケットの送受信手順を管理する第１のプロトコルスタックと、
前記端末装置との通信パケットの送受信手順を管理する第２のプロトコルスタックと、
前記端末装置から更新データを搭載した通信パケットを受信した場合に、該更新データを読み出し、この更新データを第１のプロトコルスタックに準拠した通信パケットに搭載して前記通信サーバに送信する制御部と、
を備えている請求項１乃至請求項３のいずれかに記載のデータ更新システム。
【請求項５】
設定データを記憶する主サーバに対して前記設定データの更新を行う通信サーバとの通信パケットの送受信手順を管理する第１のプロトコルスタックと、
前記設定データの一部または全部を更新するための更新データが入力される端末装置との通信パケットの送受信手順を管理する第２のプロトコルスタックと、
前記主サーバの設定データと同内容の設定ファイルを記憶する記憶部と、
前記端末装置から更新データを搭載した通信パケットを受信した場合に、該更新データを読み出し、この更新データで前記設定ファイルを更新し、更新された設定ファイルを前記第１のプロトコルスタックに準拠した通信パケットに搭載して前記通信サーバに送信する制御部と、
を備えた遠隔設定装置。
【請求項６】
設定データを記憶する主サーバと、前記設定データの一部または全部を更新するための更新データが入力される端末装置との間に、
前記端末装置と通信し、前記端末装置に入力された前記更新データを受信して記憶する遠隔設定装置と、
前記主サーバおよび前記遠隔設定装置と通信する通信サーバと、
を設置し、
前記遠隔設定装置は、前記通信サーバに前記端末装置から受信した前記更新データを送信し、
前記通信サーバは、前記遠隔設定装置から受信した前記更新データで、前記主サーバに記憶されている設定データを更新し、
前記主サーバは、音声通信を行う通信端末に対して前記設定データを書き込む、
データ更新方法。
【請求項７】
前記遠隔設定装置は、前記主サーバと同内容の設定ファイルを記憶し、前記端末装置からの指示によって該設定ファイルを更新し、前記通信サーバに対して設定データを更新した旨のメッセージを送信し、
前記通信サーバは、前記メッセージに対応して、前記遠隔設定装置から前記更新データとして前記更新された設定ファイルを取得し、この設定ファイルで前記主サーバの設定データを更新する
請求項６に記載のデータ更新方法。
【発明の詳細な説明】
【技術分野】
【０００１】
この発明は、セキュリティを維持しつつユーザにサーバのデータ更新を許可するデータ更新システム、遠隔設定装置およびデータ更新方法に関する。
【背景技術】
【０００２】
ネットワーク上にサーバ（呼制御コントローラ）を設置し、このサーバを介して音声通信を行う音声通信システムが実用化されている（たとえば非特許文献１）。このような音声通信システムでは、トランシーバ形状の通信端末の動作を規定するプロビジョニングデータ（設定データ）を通信端末に設定するために、第２のサーバ（プロビジョニングサーバ）がネットワーク上に設置される。通信端末は、電源がオンされるとネットワークに接続し、プロビジョニングサーバからプロビジョニングデータをダウンロードすることで呼制御コントローラを介したＰＴＴ通信行うことが可能になる。
【０００３】
音声通信システムにおいて、複数の通信端末は、システムの使用者が所持するが、呼制御コントローラやプロビジョニングサーバはシステムの設置者が管理する。複数の通信端末には、そのそれぞれに個別のプロビジョニングデータが設定される。また、音声通信システムの運用中に一部または全部の通信端末の設定を変更したい場合がある。
【０００４】
音声通信システムのセキュリティを維持するため、プロビジョニングデータを更新するためのサーバへのアクセス経路および権限をシステム利用者に提供、付与しないため、システム利用者が、サーバへ直接アクセスしてプロビジョニングデータを更新できない。このため、従来は、音声通信システムの運用開始時に各通信端末のプロビジョニングデータをプロビジョニングサーバに書き込む作業、および、音声通信システムの運用開始後の運用形態の変更時にプロビジョニングデータを変更する作業の全てをシステム設置者が行っていた。
【先行技術文献】
【非特許文献】
【０００５】
【非特許文献１】アイコム株式会社、"ＩＰトランシーバシステムＩＰ−５００Ｈ″、［online］、［平成27年11月４日検索］、インターネット〈URL：https://www.icom.co.jp/products/land_mobile/products/ip_transceiver/IP500H/index.html〉
【発明の概要】
【発明が解決しようとする課題】
【０００６】
上記の運用形態により、プロビジョニングサーバのセキュリティは維持できるものの、些細な設定変更でも、システム使用者はその都度システム設置者に連絡して設定変更を依頼する必要があった。そして、システム設置者は、些細な設定変更でもシステム使用者に代わって作業をする必要があった。このため、設定変更の反映に時間が掛かり、迅速な運用形態の変更ができなかった。また、システム設置者にとっては、設定変更の都度作業が発生するため、システム運用管理コストが増加する。
【０００７】
この発明は、サーバのセキュリティを維持しつつ、ユーザにサーバのデータ更新を可能にするデータ更新システム、遠隔設定装置およびデータ更新方法を提供することを目的とする。
【課題を解決するための手段】
【０００８】
本発明は、設定データを記憶する主サーバと、設定データの一部または全部を更新するための更新データが入力される端末装置と、端末装置と通信し端末装置に入力された更新データを受信して記憶する遠隔設定装置と、主サーバおよび遠隔設定装置と通信する通信サーバと、を備える。遠隔設定装置は、通信サーバに端末装置から受信した前記更新データを送信する。通信サーバは、遠隔設定装置から受信した更新データで、主サーバに記憶されている設定データを更新する。主サーバは、音声通信を行う通信端末に対して設定データを書き込む。
【０００９】
遠隔設定装置は、設定データを記憶する主サーバに対して設定データの更新を行う通信サーバとの通信パケットの送受信手順を管理する第１のプロトコルスタックと、設定データの一部または全部を更新するための更新データが入力される端末装置との通信パケットの送受信手順を管理する第２のプロトコルスタックと、主サーバの設定データと同内容の設定ファイルを記憶する記憶部と、端末装置から更新データを搭載した通信パケットを受信した場合に、この更新データを読み出し、この更新データで設定ファイルを更新し、更新された設定ファイルを第１のプロトコルスタックに準拠した通信パケットに搭載して通信サーバに送信する制御部と、を備える。
【００１０】
遠隔設定装置は、端末装置から入力された更新データの転送は行うが、端末装置と通信サーバとの間で通信を中継しない。また、通信サーバは、遠隔設定装置から受信した更新データを主サーバに送信して設定データの更新を行うが、遠隔設定装置と主サーバとの間の通信を中継しない。
【発明の効果】
【００１１】
この発明によれば、サーバのセキュリティを維持しつつ、主サーバに記憶された設定データを更新するサービスをユーザ（クライアント）に提供することが可能になる。
【図面の簡単な説明】
【００１２】
【図１】この発明の実施形態である音声通信システムの呼制御システムの構成図である。
【図２】通信端末のブロック図である。
【図３】通信端末に設定されるプロビジョニングデータ（設定データ）を示す図である。
【図４】音声通信システムの端末設定システムの構成図である。
【図５】遠隔設定装置のブロック図である。
【図６】音声通信システムにおけるプロビジョニングデータの更新手順を説明する図である。
【発明を実施するための形態】
【００１３】
図面を参照してこの発明の音声通信システムについて説明する。図１は、この発明の実施形態である音声通信システムの呼制御システム２の構成図である。また、図４は、音声通信システムの端末設定システム３の構成図である。
【００１４】
図１に示すように、呼制御システム２においては、通信端末１１（１１−１〜３）が、呼制御コントローラ１４を介して相互に音声通信をする。通信基盤(communication infrastructure)としては、携帯電話の通信ネットワークであるＬＴＥネットワーク１０が用いられる。ＬＴＥネットワーク１０は、無線通信拠点である基地局１０Ａを有しており、通信端末１１は、この基地局１０Ａと通信することでＬＴＥネットワーク１０にアクセスする。なお、本発明において、通信基盤はＬＴＥネットワークに限定されないが、図１の呼制御コントローラ１４および図４の通信サーバ１２、プロビジョニングサーバ１３は、クライアント（システム利用者）を含めシステム設置者以外がアクセスできない閉域網内に設定される。
【００１５】
図２は、通信端末１１のブロック図である。通信端末１１は、図１に示したように、ハンディトランシーバの外観を有しているが、機能的にはＬＴＥネットワーク１０の基地局１０Ａを介して音声信号を送受信する無線ネットワーク機器である。装置の動作を制御する制御部４０はマイクロプロセッサで構成される。制御部４０は、各種のデータが記憶される記憶部４１を有している。記憶部４１は、プロビジョニングデータ記憶エリア４１Ａを有し、このプロビジョニングデータ記憶エリア４１Ａには、図３に示すような各種のプロビジョニングデータ（設定データ）が記憶される。制御部４０には、操作部４２、表示部４３、オーディオ回路４４およびＬＴＥ通信部４５が接続されている。操作部４２は、ＰＴＴスイッチ２２０などのキースイッチを含み、ユーザの操作を受け付けてその操作信号を制御部４０に入力する。表示部４３は液晶ディスプレイを含む。液晶ディスプレイには、ユーザの操作によって選択された通信相手の識別番号や着信した通信相手の識別番号などが表示される。
【００１６】
また、オーディオ回路４４は、マイク２４０およびスピーカ２４１を有している。制御部４０は、受信した音声信号をデコードしてオーディオ回路４４に入力する。オーディオ回路は、このデコードされたオーディオ信号をアナログ信号に変換してスピーカ２４１から出力する。また、オーディオ回路４４は、マイク２４０から入力された音声信号をデジタル信号に変換して制御部４０に入力する。制御部４０は、このデジタルオーディオ信号を音声パケット化してＬＴＥ通信部４５に入力する。ＬＴＥ通信部４５は、ＬＴＥ通信方式で無線通信を行う回路を有し、制御部４０から入力されたパケットを基地局１０Ａに向けて送信するとともに、基地局１０Ａから受信したパケットを制御部４０に入力する。なお、オーディオ回路４４にはイヤホンコネクタ２４２が設けられている。イヤホンコネクタ２４２にイヤホンマイク（不図示）が接続されると、通信端末１１本体に設けられているマイク２４０およびスピーカ２４１は機能を停止し、イヤホンマイクのマイクおよびスピーカ（イヤホン）が有効になる。
【００１７】
以上の構成の通信端末１１において、ユーザがＰＴＴスイッチ２２０を押しながらマイク２４０に向けて音声を入力すると、通信端末１１は、この音声信号を音声パケットに編集して基地局１０Ａを介して呼制御コントローラ１４に送信する。
【００１８】
図３は記憶部４１のプロビジョニングデータ記憶エリア４１Ａの構成を示す図である。プロビジョニングデータ記憶エリア４１Ａには、以下のようなプロビジョニングデータ（プロビジョニングデータ）が記憶される。なお、この実施形態では、以下のデータのうちプロビジョニングサーバアドレスは、通信端末１１の出荷時に不揮発メモリに書き込まれ、プロビジョニングデータには含まれない。
【００１９】
プロビジョニングサーバアドレス：図４に示すプロビジョニングサーバ１３のＩＰアドレス
呼制御コントローラアドレス：呼制御コントローラ１４のＩＰアドレス
送受信ポート番号：呼制御コントローラ１４と通信する際の呼制御コントローラ１４の送受信ポート番号
呼出ＩＤ：通信端末１１の自身の呼出ＩＤ
通知音設定：着信等の通知音の選択情報
オプションボタン設定：操作部４２に設けられているオプションボタンに対する機能の割当情報
イヤホン設定：イヤホンマイクが接続された場合にフル・デュプレックス通信を行うか否かの設定情報
アドレス帳：呼出可能な通信端末１１の呼出ＩＤリスト
音量設定：通話音の音量設定情報
【００２０】
以上のデータのうち、プロビジョニングサーバアドレスおよび呼制御コントローラアドレスが、同じ音声通信システムで使用される通信端末１１で共通のデータである。呼出ＩＤ、送受信ポート番号、通知音設定、オプションボタン設定、イヤホン設定、アドレス帳および音量設定が、各通信端末１１で個別に設定されるデータである。このうち、呼出ＩＤは各通信端末１１ごとにユニークであり、通信端末１１から変更することができない。なお、プロビジョニングサーバアドレス、呼制御コントローラアドレスおよびポート番号以外のプロビジョニングデータは、ユーザが通信端末１１を操作して変更することが可能である。
【００２１】
図４は、通信端末１１にプロビジョニングデータを書き込むための端末設定システム３の構成を示す図である。通信センタ４には、上述の呼制御コントローラ１４に加えて通信サーバ１２およびプロビジョニングサーバ１３が設置されている。各サーバおよびコントローラは、それぞれＬＴＥネットワーク１０に接続されている。音声通信を行う通信端末１１は、電源オン時、すなわち運用開始時に、プロビジョニングサーバ１３にアクセスしてプロビジョニングデータを受信し、このプロビジョニングデータをプロビジョニングデータ記憶エリア４１Ａに書き込む。通信端末１１は、プロビジョニングデータ記憶エリア４１Ａに書き込まれたプロビジョニングデータを参照することで、呼制御コントローラ１４へアクセスして他の通信端末１１と通信することが可能になる。プロビジョニングサーバ１３および呼制御コントローラ１４が本発明の主サーバに対応する。
【００２２】
プロビジョニングサーバ１３には、図１に示す複数の通信端末１１（１１−1〜３）に設定するためのプロビジョニングデータがそれぞれ記憶されている。プロビジョニングデータは、設定担当者により設定用端末１６を用いて入力される。設定用端末１６は例えばパーソナルコンピュータで構成される。設定用端末１６が本発明の端末装置に対応する。設定担当者は、複数の通信端末１１を保有するクライアント（企業）において、音声通信システム１のプロビジョニングデータ設定を担当している者であり、呼制御コントローラ１４、プロビジョニングサーバ１３を保有するシステム設置者である必要はない。設定用端末１６から入力されたプロビジョニングデータ（以下、更新データ）は、遠隔設定装置１５に送信され、遠隔設定装置１５で記憶される。遠隔設定装置１５は、記憶した更新データをＬＴＥネットワーク１０を介して通信サーバ１２に送信する。なお、遠隔設定装置１５は、ＬＴＥネットワーク１０を介して通信サーバ１２のみと通信可能である。通信サーバ１２は、内部ネットワーク５を介してプロビジョニングサーバ１３および呼制御コントローラ１４と通信可能である。通信サーバ１２は、遠隔設定装置１５から受信した更新データで、プロビジョニングサーバ１３に記憶されているプロビジョニングデータを更新する。また、システム管理者は、設定用端末１６を用いて呼制御コントローラ１４の設定を更新するデータを入力することが可能である。遠隔設定装置１５は、入力された変更データを通信サーバ１２に送信する。通信サーバ１２は、遠隔設定装置１５から受信した更新データで呼制御コントローラ１４の設定を更新する。呼制御コントローラ１４には、通信端末１１の呼出ＩＤの一覧などが記憶されている。
【００２３】
遠隔設定装置１５と通信サーバ１２との間では、更新データ、および、この更新データを送信／受信するためのコマンドが送受信される。しかしながら、設定用端末１６の操作によって発生するコマンドが、遠隔設定装置１５、ＬＴＥネットワーク１０を介して通信サーバ１２に到達することがない。また、遠隔設定装置１５は、通信サーバ１２のみと通信可能であるため、遠隔設定装置１５が通信センタ４外からプロビジョニングサーバ１３や呼制御コントローラ１４に対して直接コマンドを送信できないようにしている。
【００２４】
図５は、遠隔設定装置１５のブロック図である。遠隔設定装置１５は、設定用端末１６と通信サーバ１２（ＬＴＥネットワーク１０）とを接続する。遠隔設定装置１５は、設定用端末１６と通信するＬＡＮインタフェース１１２、ＬＴＥネットワーク１０を介して通信サーバ１２と通信するＬＴＥインタフェース１１４、Ｒ／Ｗ制御部１１０および設定ファイル記憶部１１１を有している。
【００２５】
ＬＡＮインタフェース１１２は、設定用端末１６と通信するためのプロトコルスタック１１３（第２のプロトコルスタック）を有している。このプロトコルスタック１１３は、一般的なＬＡＮ規格に準拠したプロトコルを実行するためのものでよい。また、ＬＴＥインタフェース１１４は、ＬＴＥネットワーク１０を介して通信サーバ１２と通信するためのプロトコルスタック１１５（第１のプロトコルスタック）を有している。このプロトコルスタック１１５は、ＬＴＥネットワーク１０の規格に準拠したものである。設定ファイル記憶部１１１は、プロビジョニングサーバ１３のプロビジョニングデータを更新するための更新データを記憶する。Ｒ／Ｗ制御部１１０は、設定ファイル記憶部１１１へのリード／ライトを制御する。
【００２６】
このように、ＬＡＮインタフェース１１２側とＬＴＥインタフェース１１４側は設定ファイル記憶部１１１を共有するが、通信を中継しない構成であり、設定用端末１６が通信サーバ１２に対して直接コマンドを送信することができないようになっている。また逆に、ＬＴＥネットワーク１０側から設定用端末１６（若しくは設定用端末１６が接続されているＬＡＮ）が見えない構成であるため、ＬＴＥネットワーク１０から設定用端末１６（若しくは設定用端末１６が接続されているＬＡＮ）にアクセスされることがない。
【００２７】
なお、設定ファイル記憶部１１１にプロビジョニングサーバ１３が記憶する全通信端末１１のプロビジョニングデータテーブルと同様の内容の設定ファイルを記憶しておいてもよい。この場合、設定担当者が通信端末１１のプロビジョニングデータを更新するとき、設定用端末１６から遠隔設定装置１５の設定ファイルを更新し、その更新内容を通信サーバ１２を介してプロビジョニングサーバ１３に転送すればよい。呼制御コントローラ１４に設定されるデータについても同様である。
【００２８】
以上の構成の遠隔設定装置１５を含む設定システム３の動作手順を図６を参照して説明する。遠隔設定装置（ＲＳＢ）１５は、設定用端末（ＰＣ）１６からの操作に応じて動作する。ここでは、プロビジョニングサーバ１３に記憶されているプロビジョニングデータテーブルおよび呼制御コントローラ１４のレジストデータテーブルが、通信サーバ１２および遠隔設定装置１５にもセーブ可能な設定ファイルとして記憶されており、設定用端末１６からその一部が更新される場合について説明する。
【００２９】
設定用端末１６のオペレータである設定担当者は、設定用端末１６を操作して遠隔設定装置１５に記憶されているプロビジョニングデータやレジストデータ（以下、単にプロビジョニングデータと呼ぶ）を更新する（Ｓ１０１）。音声通信システム１が初期状態の場合などにおいては、各通信端末１１の全てプロビジョニングデータを更新（新規書き込み）することも可能である。遠隔設定装置１５は、設定用端末１６から入力された内容で設定ファイル記憶エリア１１１に記憶している設定ファイルを更新する（Ｓ１０２）。設定担当者は、プロビジョニングデータの更新が終了すると、設定用端末１６を操作して遠隔設定装置１５に対して更新終了を通知する（Ｓ１０３）。以上の処理は、設定用端末１６と遠隔設定装置１５のＬＡＮインタフェース１１２側で行われる。
【００３０】
遠隔設定装置１５は、設定用端末１６から設定完了の通知を受け取ると、ＬＴＥインタフェース１１４の通信によって、通信サーバ１２にアクセスし、プロビジョニングデータの更新があった旨を通知する（Ｓ１０４）とともに、更新履歴が記載された設定ファイルリストを通信サーバ１２に対して送信する（Ｓ１０５）。通信サーバ１２は、設定ファイルのリストに基づき、今回更新された差分の設定ファイル（更新データ）の送信を要求するメッセージを遠隔設定装置１５に送信する（Ｓ１０６）。遠隔設定装置１５は、要求された差分ファイル（更新データ）を通信サーバ１２に送信する（Ｓ１０７）。
【００３１】
通信サーバ１２は、遠隔設定装置１５から受信した更新データで、自身が記憶している設定ファイルを更新する（Ｓ１０８）。そして、この更新データをプロビジョニングサーバ１３に送信する（Ｓ１０９）。プロビジョニングサーバ１３は、この更新データを受信して、自身の設定ファイルを更新する（Ｓ１１０）。
【００３２】
なお、呼制御コントローラ１４に設定されているデータに対する更新があった場合には、通信サーバ１２は、呼制御コントローラ１４にアクセスして、更新データを送信する（Ｓ１１１）。呼制御コントローラ１４は、このデータを受信して、自身のレジストデータファイルを更新する（Ｓ１１２）。以上でプロビジョニングデータの更新が終了する。通信サーバ１２は、遠隔設定装置１５に対して更新完了を通知し（Ｓ１１３）、これを受信した遠隔設定装置１５は、設定用端末１６に対して更新完了を通知する（Ｓ１１４）。設定用端末１６は、この更新完了通知に基づいて、プロビジョニングデータの更新が完了した旨の文言等を表示してもよい。
【００３３】
こののち、通信端末１１は、再起動（または電源オン）されたとき、プロビジョニングサーバ１３にアクセスする（Ｓ１２０）。プロビジョニングサーバ１３は、このアクセスしてきた通信端末向けのプロビジョニングデータを読み出して通信端末１１に送信する（Ｓ１２１）。通信端末１１は、このプロビジョニングデータを受信して、自身のプロビジョニングデータ記憶エリア４１Ａに書き込む（Ｓ１２２）。通信端末１１は、このプロビジョニングデータを用いて呼制御コントローラ１４にアクセスし、呼制御コントローラ１４に対してレジスト要求を送信する（Ｓ１２３）。呼制御コントローラ１４は、レジスト要求を受信したとき、自身の端末テーブルに登録されている通信端末１１からのレジスト要求であった場合、その通信端末１１をレジストして、呼制御コントローラ１４をサーバとする音声通信を可能にする（Ｓ１２４）。
【００３４】
なお、上述の手順では、通信サーバ１２は、遠隔設定装置１５からプロビジョニングデータの更新通知があったときに遠隔設定装置１５に対して更新データを要求しているが、通信サーバ１２は、更新通知がなくても定期的に遠隔設定装置１５に対してポーリングし（Ｓ１３０）、遠隔設定装置１５がこのポーリングに対し返答するようにしてもよい（Ｓ１３１）。
【００３５】
この実施形態では、ＬＴＥネットワーク１０を用いた音声通信システム１について説明したが、使用するネットワークはＬＴＥネットワーク１０に限定されない。
【００３６】
また、この実施形態では、プロビジョニングサーバ１３に記憶されている通信端末１１のプロビジョニングデータまたは呼制御コントローラ１４に記憶されているレジストデータを更新する例について説明したが、更新されるデータは通信端末１１のプロビジョニングデータに限定されない。プロビジョニングデータまたはレジストデータが本発明の設定データに対応する。
【符号の説明】
【００３７】
１  音声通信システム
２  呼制御システム
３  端末設定システム
１０  ＬＴＥネットワーク
１１  通信端末
１２  通信サーバ
１３  プロビジョニングサーバ（主サーバ）
１４  呼制御コントローラ（主サーバ）
１５  遠隔設定装置
１６  設定用端末（端末装置）
４１Ａ  プロビジョニングデータ記憶エリア
１１１  設定ファイル記憶部
【図１】
0006666542.tif 000002
【図２】
0006666542.tif 000003
【図３】
0006666542.tif 000004
【図４】
0006666542.tif 000005
【図５】
0006666542.tif 000006
【図６】
0006666542.tif 000007